(57)【特許請求の範囲】
【請求項１】
上面が低摩擦とされた中心支承部材が床スラブ上に互いに所定間隔あけて複数設置され、該各中心支承部材に対してそれぞれ該中心支承部材を覆うようにスライドパネルが配置されて、該スライドパネルが該中心支承部材に対して水平方向に滑動可能とされた免震床支承部の構造において、
前記床スラブ上に、各中心支承部材の周囲に位置させて、上面が低摩擦とされると共に水平方向に細長く伸びる延長支承部材が設置され、
前記スライドパネルが、前記中心支承部材に対して水平方向において任意の方向に大きく相対変位されたときに、該スライドパネルが前記延長支承部材によって支承される、
ことを特徴とする免震床支承部の構造。
【請求項２】
請求項１において、
前記延長支承部材が、前記各中心支承部材から放射状に６本伸びるように配置されている、ことを特徴とする免震床支承部の構造。
【請求項３】
請求項１において、
前記各中心支承部材が、水平方向において直交する方向となる縦方向および横方向に等間隔に配置され、
前記延長支承部材が直線状とされ、
前記延長支承部材として、長さの異なる複数種用いられ、
各延長支承部材のそれぞれが、他の延長支承部材または中心支承部材に連結されている、
ことを特徴とする免震床支承部の構造。
【請求項４】
請求項３において、
前記延長支承部材として、もっとも長い第１延長支承部材と、該第１延長支承部材よりも十分短い第２延長支承部材および第３延長支承部材とが用いられ、
縦方向または横方向のいずれか一方方向において、前記第１延長支承部材によって隣り合う中心支承部材同士が連結され、
縦方向または横方向の他方方向において隣合う前記中心支承部材同士の中間位置において、前記第１延長支承部材と平行にかつ該第１延長支承部材の長手方向中間に位置するように第２延長支承部材が配置され、
前記第２延長支承部材の一端部と、該第２延長支承部材の一端部にもっとも近い位置にある２つの中心支承部材とがそれぞれ前記第３延長支承部材によって連結され、
前記第２延長支承部材の他端部と、該第２延長支承部材の他端部にもっとも近い位置にある２つの中心支承部材とがそれぞれ前記第３延長支承部材によって連結されている、
ことを特徴とする免震床支承部の構造。
【請求項５】
請求項４において、
前記第２延長支承部材の各端部と、該第２延長支承部材の各端部にそれぞれ連結されるべき前記２本の第３延長支承部材とが、放射状に３本の連結部を有する連結金具によって互いに連結されている、ことを特徴とする免震床支承部の構造。
【請求項６】
請求項３または請求項４において、
前記中心支承部材と延長支承部材との連結が、上下方向に凹凸嵌合させることにより行われている、ことを特徴とする免震床支承部の構造。
【請求項７】
請求項１において、
前記延長支承部材が、チャネル材からなる本体と、該本体の上面を覆う低摩擦部材からなる上面部材により構成され、
前記本体の上面に係止孔が形成され、
前記上面部材の下面に前記係止孔に嵌合される係止突起部が形成され、
前記係止孔と係止突起部との嵌合によって、前記上面部材の前記本体に対する水平方向の相対変位が強固に規制されている、
ことを特徴とする免震床支承部の構造。
【請求項８】
請求項１ないし請求項７のいずれか１項において、
前記中心支承部材が、床スラブに固定されるディンプルベ−スと、該ディンプルベ−ス上に全方向に揺動可能に載置されると共に上面が平坦かつ低摩擦とされて前記スライドパネルが摺動される滑動部材とによって構成され、
前記延長支承部材の上面高さ位置が、前記滑動部材の上面よりも低く、かつ前記ディンプルベ−スよりも高い位置となるように設定されている、
ことを特徴とする免震床支承部の構造。
【請求項９】
床スラブ上に、水平方向において直交する縦方向および横方向に等間隔に複数のディンプルベ−スが固定され、
前記各ディンプルベ−ス上に、上面が平坦かつ低摩擦とされた滑動部材が全方向に揺動可能として載置され、
前記各滑動部材に対してそれぞれ該滑動部材を覆うようにスライドパネルが配置されて、該スライドパネルが該滑動部材に対して水平方向に滑動可能とされた免震床支承部の構造において、
前記床スラブ上に、前記各ディンプルベ−スの周囲に位置させて、上面が低摩擦とされると共に水平方向に直線状に細長く伸びる延長支承部材が設置され、
前記延長支承部材の上面高さ位置が、前記滑動部材の上面よりも低くかつ前記ディンプルベ−スよりも高い位置となるように設定されて、前記スライドパネルが該滑動部材に支承されているときは、該スライドパネルが該延長支承部材に対してフロ−ティング状態とされ、
前記延長支承部材は、少なくとも前記各ディンプルベ−スを中心にして放射状に複数本伸びるように配置されると共に、各延長支承部材のそれぞれが他の延長支承部材またはディンプルベ−スに連結され、
前記スライドパネルが前記滑動部材に対して水平方向において任意の方向に大きく相対変位されて該滑動部材から脱落したときに、該スライドパネルが前記延長支承部材によって支承される、
ことを特徴とする免震床支承部の構造。
【請求項１０】
請求項１ないし請求項９のいずれか１項において、
隣り合う前記各スライドパネル同士が、ジョイントビ−ムによって相互に連結されている、ことを特徴とする免震床支承部の構造。
【請求項１１】
金属製のチャネル材からなる本体と、該本体の上面を覆う低摩擦部材からなる上面部材とからなり、全体として直線状に細長く伸びるように形成され、
前記本体は、上壁部と、該上壁部の幅方向各端部から下方へ伸びる左右一対の側壁部と、該各側壁の下端から幅方向外側へ伸びるフランジ部と、前記上壁部に形成された第１係止孔と、前記側壁部に形成された第２係止孔と有し、
前記上面部材は、上壁部と、該上壁部の下面に突設された係止突起部と、該上壁部の幅方向各端部から下方へ伸びる左右一対の脚部と、該脚部の先端部に形成された係止爪部とを有し、
前記第１係止孔に前記係止突起部が嵌合されて、前記上面部材の前記本体に対する水平方向の相対変位が強固に規制され、
前記第２係止孔に前記係止爪が嵌合されることによりに、前記上面部材の前記本体に対する上方への変位が強固に規制されている、
ことを特徴とする免震床支承部用の延長支承部材。
【発明の詳細な説明】
【０００１】
【発明の属する技術分野】
本発明は、免震床支承部の構造および免震床支承部用の延長支承部材に関するものである。
【０００２】
【従来の技術】
２重床式の免震床構造の中には、特公平８−１９７５８号公報に示すようなものがある。すなわち、上面が低摩擦とされた中心支承部材が、床スラブ上に縦、横に互いに所定間隔あけて複数設置され、該各中心支承部材に対してそれぞれ該中心支承部材を覆うようにスライドパネルが配置されて、該スライドパネルが該中心支承部材に対して水平方向に滑動可能とされている。各スライドパネルからはそれぞれ支柱が立設されて、この支柱によって、室内の床面を構成する床パネルが支承される。
【０００３】
上記公報には、さらに、隣接するスライドパネル同士をジョイントビ−ムによって相互に連結して、各スライドパネルとジョイントビ−ムとによって全体的に床スラブに対して水平方向に変位可能な強固な下構造体を構成することが開示されている。また、上記公報には、前記中心支承部材を、床スラブに固定されるディンプルベ−スと、該ディンプルベ−スに全方向に揺動可能に支承されると共に上面が平坦かつ低摩擦とされて前記スライドパネルが摺動される滑動部材とによって構成することも開示されている。
【０００４】
上述の公報記載のものにあっては、通常は、大きな面積を有するスライドパネルによって小さな面積とされた中心支承部材が覆われているため、つまり摺動部分がスライドパネルによって覆われた状態となっているため、当該摺動部分に塵埃等の異物が付着するのが防止され、地震の際に所望の免震効果を得る上で好ましいものとなる。また、スライドパネルと床パネルとの間の上下方向間隔を小さくしつつ、このスライドパネルと床パネルとの間の空間を配線等の配設空間として有効利用することができるものとなっている。
【０００５】
【発明が解決しようとする課題】
ところで、水平方向に大きく揺れる地震が発生したとき、スライドパネルが中心支承部材に対して水平方向に大きく変位されることになるが、スライドパネルが所定以上大きく水平方向に変位すると、スライドパネルが中心支承部材から脱落してしまうことになる。スライドパネルが中心支承部材から脱落した後は、効果的な免震というものが期待できなくなり、この点において何等かの対策が望まれることになる。なお、スライドパネルの面積を十分に増大させることも考えられるが、製造、施工コストの増大や可動床の重量増大となって好ましくない。
【０００６】
本発明は以上のような事情を勘案してなされたもので、その第１の目的は、スライドパネルが中心支承部材から脱落した後も免震効果を十分得ることのできるようにした免震床支承部の構造を提供することにある。
本発明の第２の目的は、スライドパネルが中心支承部材から脱落した後も免震効果を十分得るために用いられる免震床支承部用の延長支承部材を提供することにある。
【０００７】
【課題を解決するための手段】
前記第１の目的を達成するため、本発明はその第１の解決手法として次のようにしてある。すなわち、
上面が低摩擦とされた中心支承部材が床スラブ上に互いに所定間隔あけて複数設置され、該各中心支承部材に対してそれぞれ該中心支承部材を覆うようにスライドパネルが配置されて、該スライドパネルが該中心支承部材に対して水平方向に滑動可能とされた免震床支承部の構造において、
前記床スラブ上に、各中心支承部材の周囲に位置させて、上面が低摩擦とされると共に水平方向に細長く伸びる延長支承部材が設置され、
前記スライドパネルが、前記中心支承部材に対して水平方向において任意の方向に大きく相対変位されたときに、該スライドパネルが前記延長支承部材によって支承される、
ようにしてある。上記解決手法を前提とした好ましい態様は、特許請求の範囲における請求項２〜請求項８および請求項１０に記載のとおりである。
【０００８】
前記第１の目的を達成するため、本発明はその第２の解決手法として次のようにしてある。すなわち、
床スラブ上に、水平方向において直交する縦方向および横方向に等間隔に複数のディンプルベ−スが固定され、
前記各ディンプルベ−ス上に、上面が平坦かつ低摩擦とされた滑動部材が全方向に揺動可能として載置され、
前記各滑動部材に対してそれぞれ該滑動部材を覆うようにスライドパネルが配置されて、該スライドパネルが該滑動部材に対して水平方向に滑動可能とされた免震床支承部の構造において、
前記床スラブ上に、前記各ディンプルベ−スの周囲に位置させて、上面が低摩擦とされると共に水平方向に直線状に細長く伸びる延長支承部材が設置され、
前記延長支承部材の上面高さ位置が、前記滑動部材の上面よりも低くかつ前記ディンプルベ−スよりも高い位置となるように設定されて、前記スライドパネルが該滑動部材に支承されているときは、該スライドパネルが該延長支承部材に対してフロ−ティング状態とされ、
前記延長支承部材は、少なくとも前記各ディンプルベ−スを中心にして放射状に複数本伸びるように配置されると共に、各延長支承部材のそれぞれが他の延長支承部材またはディンプルベ−スに連結され、
前記スライドパネルが前記滑動部材に対して水平方向において任意の方向に大きく相対変位されて該滑動部材から脱落したときに、該スライドパネルが前記延長支承部材によって支承される、
ようにしてある。上記解決手法を前提とした好ましい態様は、特許請求の範囲における請求項１０に記載のとおりである。
【０００９】
前記第２の目的を達成するため、本発明はその解決手法として次のようにしてある。すなわち、
金属製のチャネル材からなる本体と、該本体の上面を覆う低摩擦部材からなる上面部材とからなり、全体として直線状に細長く伸びるように形成され、
前記本体は、上壁部と、該上壁部の幅方向各端部から下方へ伸びる左右一対の側壁部と、該各側壁の下端から幅方向外側へ伸びるフランジ部と、前記上壁部に形成された第１係止孔と、前記側壁部に形成された第２係止孔と有し、
前記上面部材は、上壁部と、該上壁部の下面に突設された係止突起部と、該上壁部の幅方向各端部から下方へ伸びる左右一対の脚部と、該脚部の先端部に形成された係止爪部とを有し、
前記第１係止孔に前記係止突起部が嵌合されて、前記上面部材の前記本体に対する水平方向の相対変位が強固に規制され、
前記第２係止孔に前記係止爪が嵌合されることによりに、前記上面部材の前記本体に対する上方への変位が強固に規制されている、
ようにしてある。
【００１０】
【発明の効果】
請求項１によれば、地震の際、通常はスライドパネルが中心支承部材の上を摺動して免震効果が得られ、水平方向に大きく揺れる大きな地震が発生してスライドパネルが中心支承部材から脱落したときは、当該スライドパネルが延長支承部材の上を摺動してこのときも免震効果が得られることになる。また、延長支承部材は、細長くしてあるので、つまり各中心支承部材の間の空間に部分的に設置するだけで、中心支承部材から脱落したスライドパネルを確実に支承することができる。
【００１１】
請求項２によれば、各中心支承部材から伸びる延長支承部材の本数を極力少なくしつつ、中心支承部材から脱落したスライドパネルを延長支承部材で確実に支承する上で好ましいものとなる。
請求項３によれば、延長支承部材の設置場所は、縦横の直線に沿って配置される各中心支承部材によって規定される４角形の中に配置される形式とされるが、直線状とされた長さの異なる複数種の延長支承部材を利用して、スライドパネルを確実に支承できるような配置を容易に得ることができる。特に、延長支承部材は直線状なのでその構成ひいては製造が簡単であり、しかも各延長支承部材が他の延長支承部材あるいは中心支承部材に連結されているので、その設置もしっかりしたものとすることができる。
【００１２】
請求項４によれば、１つの中心支承部材から伸びる延長支承部材の数を極力少なくしつつ、スライドパネルを確実に支承するための延長支承部材の配置形態を提供することができる。
請求項５によれば、３本の連結部を有する連結金具を利用して、３本の延長支承部材の連結を簡単に行う上で好ましいものとなる。
請求項６によれば、中心支承部材と延長支承部材とを上下方向の凹凸嵌合によって連結することにより、連結が容易であり、しかも水平方向の相互の位置ずれを防止する上で好ましいものとなる。
【００１３】
請求項７によれば、延長支承部材を、本体部分と低摩擦部材からなる上面部材との分割構成とすることにより、本体部分を剛性の高い材料で構成しつつ、高価な低摩擦部材の使用量を低減する上で好ましいものとなる。また、係止孔と係止突起部とを利用して、スライドパネルが摺動するときの力を受けても本体部材と上面部材とを水平方向に位置ずれしないように強固に連結することができる。
【００１４】
請求項８によれば、床スラブに不陸が存在してディンプルベ−スが傾斜設置されても、滑動部材のディンプルベ−スに対する全方向への揺動を利用して、滑動部材をスライドパネルに密着させておくことでき、このとき不陸によって延長支承部材が傾斜していても滑動部材より低い位置にあり、スライドパネルと干渉することがない。また、スライドパネルが一旦滑動部材から脱落して延長支承部材に乗り移った後に、再び脱落した滑動部材に接近する方向に戻るように揺れ動いたときに、スライドパネルによって滑動部材をディンプルベ−スから押し出して、この押し出し方向にある延長支承部材によってスライドパネルを支承させることができ、滑動部材との段差に起因して免震機能が損なわれることがない。
【００１５】
請求項９によれば、請求項１および請求項８に対応した効果を得ることができる。また、延長支承部材を直線状としてその製造を容易にしつつ、ディンプルベ−スを中心にして延長支承部材を放射状に配置することにより、滑動部材から脱落したスライドパネルを延長支承部材によって確実に支承することができる。さらに、延長支承部材を他の延長支承部材あるいは中心支承部材に連結することにより、その設置をしっかりとしたものにすることができる。
請求項１０によれば、隣り合うスライドパネル同士をジョイントビ−ムによって相互に連結して、全体として、床スラブに対して水平方向に変位可能でかつ床パネルを支承するための強固な下構造体を構成することができる。
【００１６】
請求項１１によれば、中心支承部材から脱落したスライドパネルを支承するための延長支承部材が提供されるが、この延長支承部材が、直線状とされると共に、本体部分と低摩擦部材からなる上面部材との分割構成とすることにより、高価な低摩擦部材の使用量を低減しつつ所望断面形状の延長支承部材を得る上で好ましいものとなる。また、第１係止孔と係止突起部とを利用して、スライドパネルが摺動するときの力を受けても本体部材と上面部材とを水平方向に位置ずれしないように強固に連結することができる。さらに、第２係止孔孔と係止爪部とを利用して、上面部材の本体部材からの上方への外れを防止する上で好ましいものとなる。
【００１７】
【発明の実施の形態】
図１〜図３に示すように、床スラブＵ上に設置される室Ｓの床が、水平方向に変位可能な可動床１と、固定された固定床２とから構成されている。可動床１は、室Ｓの側壁３から所定間隔有するように設置されて、可動床１の全周囲に固定床２が位置されている。可動床１と固定床２とは、可動床１の周縁部に設けたオ−バパネル４を利用して互いにオ−バラップされていて、可動床１が水平方向に変位されたときにそのオ−バラップ量が変化される。
【００１８】
可動床１は、図４にも示すように、その周囲に設けたコイルスプリングからなるリタ−ンスプリング５によって、室Ｓのほぼ中心に位置するように付勢されている。このリタ−ンスプリング５は、水平方向に伸びて、可動床１と床スラブＵとの間に架設されている。また、可動床１の周囲には、可動床１から所定間隔有するようにして、ダンパ６が床スラブＵに固定設置され、可動床１が水平方向に許容範囲を越えて変位されたときに当接されて減衰作用が行われる。このダンパ６は、摩擦式とされて、その受圧部材６Ａが床スラブＵに固定された本体ケース６Ｂに対して押し込まれるときに、大きな摩擦力を発生して減衰作用を行うようになっており、設置後のメンテナンスが不要であるが、オイルダンパ等を用いることもできる。なお、図４では、後述する延長支承部材は略してある。
【００１９】
可動床１は実施形態では室Ｓの形状に合せて４角形、より具体的には正方形とされているが、可動床１の形状は適宜設定できるものである。また、可動床１の各辺についてそれぞれリタ−ンスプリング５とダンパ６とが複数設けられているが、リタ−ンスプリング５およびダンパ６の数は適宜設定できるものである。
【００２０】
図２に示すように、可動床１は、中心支承部材１１を介して、床スラブＵに対して水平方向に変位可能に支承されている。中心支承部材１１は、縦および横に等間隔に、つまり互いに等間隔（例えば６０ｃｍ）で設定された複数の縦線と複数の横線との交差する部分において、床スラブＵに固定されていて、その上面が平坦かつ低摩擦とされている。
【００２１】
可動床１は複数のスライドパネル１２を有し、このスライドパネル１２は、中心支承部材１１に対応して設けられている。すなわち、スライドパネル１２も、縦および横に等間隔に位置されている（１つの中心支承部材１１に対して１つのスライドパネル１２が設定されている）。このスライドパネル１２の底面は、平坦面な摺動面とされている。図５には、スライドパネル１２の下面が示されており、図５中ハッチングを施すことにより区別して示す部分が、中心支承部材１１に対して摺動される上記摺動面であり、スライドパネル１２のうちもっとも低い面となる。このようなスライドパネル１２（の摺動面）は、中心支承部材１１よりも十分に大きな面積を有している。より具体的には、隣り合うスライドパネル同士が近接する程度にまで十分大きな面積とされている。可動床１が水平方向に変位するとき、スライドパネル１２（の下面）が、中心支承部材１１（の上面）に対して摺動される。
【００２２】
隣り合うスライドパネル１２同士は、鉄板等の金属板を加工してなるジョイントビ−ム１３によって、互いに連結されている。これにより、各スライドパネル１２同士は、ジョイントビ−ム１３を介した強固な一体物として構成され、このような強固な一体物が偏平な下構造体を構成する。なお、スライドパネル１２とジョイントビ−ム１３との連結は、ボルト等の固定具を利用して行われる。
【００２３】
各スライドパネル１２からはそれぞれ、支柱１４が立設されており、各支柱１４に対して、床パネル１５が固定されている。床パネル１５は、規格寸法（例えば６０ｃｍ角）の正方形とされたパネル構成体１５ａを並設することにより構成されて、パネル構成体１５ａの角部分毎に支柱１４に固定される。そして、床パネル１５上に、コンピュ−タ等の振動を嫌う機器類が設置される。このように、パネル構成体１５ａの寸法に対応して、隣り合４本の支柱１５の中心間隔が設定されている。換言すれば、中心支承部材１１あるいはスライドパネル１２の縦および横の等間隔の設置は、規格寸法の正方形とされたパネル構成体１５ａの寸法に応じて設定されたものとなっている。
【００２４】
床スラブＵ上には、各中心支承部材１１の周囲に位置するようにして、延長支承部材２１が設置されている。延長支承部材２１は、スライドパネル１２が中心支承部材１１から脱落したときに、当該スライドパネル１２を支承するためのものであり、その上面が低摩擦とされている。すなわち、延長支承部材２１は、中心支承部材１１よりも若干低く設定されていて、スライドパネル１２が中心支承部材１１に支承されているときは、延長支承部材２１に対してスライドパネル１２がフロ−ティング状態となっている。
【００２５】
延長支承部材２１は、それぞれ細長い直線状とされていて、長さの異なる複数種が用いられている。延長支承部材２１の好ましい設置形態について、図６を参照しつつ説明する。まず、延長支承部材として、もっとも長い第１延長支承部材２１Ａと、該第１延長支承部材２１Ａよりも十分短い第２延長支承部材２１Ｂおよび第３延長支承部材２１Ｃとが用いられる。縦方向または横方向のいずれか一方方向のうち、図６横方向に伸びるようにして、前記第１延長支承部材２１Ａによって隣り合う中心支承部材１１同士が連結されている。縦方向または横方向の他方方向（図６縦方向）において、隣合う中心支承部材１１同士の中間位置において、前記第１延長支承部材２１Ａと平行にかつ該第１延長支承部材２１Ａの長手方向中間に位置するように、第２延長支承部材２１Ｂが配置される。
【００２６】
第２延長支承部材２１Ｂの一端部と、該第２延長支承部材２１Ｂの一端部にもっとも近い位置にある２つの中心支承部材１１とが、それぞれ前記第３延長支承部材２１Ｃによって連結される。第２延長支承部材２１Ｂの他端部と、該第２延長支承部材２１Ｂの他端部にもっとも近い位置にある２つの中心支承部材１１とが、それぞれ前記第３延長支承部材２１Ｃによって連結されている。
【００２７】
このようにして、１つの中心支承部材１１に着目したとき、合計６本の延長支承部材２１（２本の第１延長支承部材２１Ａと４本の第３延長支承部材２１Ｃ）が、放射状に伸びるように配置される。なお、横方向端部にある中心支承部材１１については、固定床２側へ向う方向（横方向に隣り合う中心支承部材１１とは反対方向）においては、第１延長支承部材２１Ａの延長線上において、当該第１延長支承部材２１Ａの略半分の長さとされた第４延長支承部材２１Ｄが配置されているが、これは、固定床２側には隣り合う中心支承部材１１が存在しないためであり、第４延長支承部材２１Ｄは、実質的に第１延長支承部材２１Ａと同様の意味合いを有することになる。
【００２８】
上述の第２延長支承部材２１Ｂと第３延長支承部材２１Ｃとの連結は、後述するように、連結金具２２を利用して行われている。また、中心支承部材１１に対する延長支承部材２１（第１延長支承部材２１Ａまたは第４延長支承部材２１Ｄ、第３延長支承部材２１Ｃ）との連結は、後述するように、上下方向の凹凸嵌合形式によって行われている。
【００２９】
中心支承部材１１毎に設けられるスライドパネル１２のうち、その一部が図６において一点鎖線で示されているが、符号１２Ａで示すスライドパネルが正規の位置にある（中心支承部材１１がほぼ中心に位置する）状態である。また、符号１２Ｂで示すスライドパネルが、水平方向に大きく変位されて中心支承部材１１から脱落して延長支承部材２１によって支承された状態（摺動面が中心支承部材１１から完全に外れた状態）である。スライドパネル１２が、中心支承部材１１に対して水平方向のうち任意の全方向に大きく変位されても、延長支承部材２１によってスライドパネル１２が確実に支承されることになる。なお、延長支承部材２１は、縦横の配置関係を逆転しても同じである（図６の状態を、９０度時計方向あるいは反時計方向に回転して得られる状態となるだけ）。
【００３０】
ここで、延長支承部材２１の配置は、図６に示す態様以外に適宜設定できるものである。例えば、第１延長支承部材２１Ａは図６の場合と同様に設ける一方、第２延長支承部材２１Ｂと第３延長支承部材２１Ｃの代わりに、斜め方向に隣り合う中心支承部材１１同士を、第１延長支承部材２１Ａに対して４５度の角度をなすようにして伸びる延長支承部材にによって連結するようにすることもできる。この場合、１つの中心支承部材１１に着目したとき、合計８本の延長支承部材部、互いに周方向に４５度の間隔で放射状に伸びることになる。１つの中心支承部材１１から放射状に伸びる延長支承部材２１の数を極力少なくしつつ、水平方向に大きく変位されたときのスライドパネル１２を延長支承部材２１によって確実に支承するには、図６の状態のものが有利となる。
【００３１】
図７〜図９には、延長支承部材２１の詳細な一例が示されるが、図示の例は第３延長支承部材２１Ｃを示すものである。第１延長支承部材２１Ａ、第２延長支所部材２１Ｂも第３延長支承部材２１Ｃと基本的に同じであるが、第３延長支承部材２１Ｃと相違するのは、第１第１延長支承部材２１Ａにおいてはその両端に後述する延長フランジ部３８（および連結突起部３９）が形成され、また第２延長支承部材２１Ｂにおいてはその両端に後述する連結開口３７が形成されることである。
【００３２】
延長支承部材２１すなわち第３延長支承部材２１Ｃは、基本的に、本体３１と上面部材３２との分割構成とされて、両者３１と３２とを結合、一体化することにより構成されている。本体３１は、鉄板等の金属板を加工することにより、あるいは剛性に優れた合成樹脂によってチャネル材の構造として形成されていて、上壁部３１ａと、上壁部３１ａの左右端から下方へ略直角に下方へ伸びる左右一対の側壁部３１ｂと、各側壁部３１ｂの下端から互いに左右反対方向に伸びる左右一対のフランジ部３１ｃとを有する。延長支承部材２１は、そのフランジ部３１ｃ部分でもって、床スラブＵに対して接着剤によって固定することもできる。
【００３３】
本体３１の上壁部３１ａには、長手方向に細長く伸びる第１係止孔３３が、互いに長手方向に所定間隔あけて複数（図では２つ）形成されている。また、本体３１の各側壁部３１ｂには、長手方向に細長く伸びる第２係止孔３４が、互いに長手方向に所定間隔あけて複数（図では２つ）形成されている。
【００３４】
前記上面部材３２は、低摩擦部材、例えばテフロンやナイロン、ポリアセタール等の低摩擦の合成樹脂によって形成されているが、本体３１の長さよりも十分短くされている。すなわち、１つの本体３１に対して、上面部材３２を複数個（図７、図８では２個）組み付けることにより延長支承部材２１が構成されるようになっている。換言すれば、前述のように、長さの異なる複数種の延長支承部材２１Ａ〜２１Ｄを構成するときに、本体３１の長さのみ異なるものを用いて、上面部材３２は、その組み付け個数を変更することにより対応するようになっている（上面部材３２は、長さの異なる延長支承部材２１Ａ〜２１Ｄ間で完全に共通あるいはほぼ共通）。
【００３５】
上面部材３２は、本体３１の上壁部３１ａを覆う上壁部３２ａと、上壁部３２ａの左右端から略直角に下方へ伸びる左右一対の脚部３２ｂを有する。左右一対の脚部３２ｂは、幅方向となる左右方向に十分に弾性変形できるようにされており、このため、脚部３２ｂは、上壁部３２ａの長さよりも十分短くされている。そして、各脚部３２ｂの下端部には、上面部材３２の幅方向内方側へ向けて突出した係止爪部３２ｃが形成されている。さらに、上壁部３２ａの下面には、長手方向に細長く伸びる係止突起部３２ｄが形成されている。なお、上面部材３２の上面（上壁部３２ａの上面）は、上に凸となるように、より具体的には断面が幅方向端に向うにつれて徐々に低くなるような略円弧状となるように形成されていて、スライドパネル１２の支承が線接触によって行われるようにされている（スライドパネル１２に対する摺動抵抗の低減作用）。
【００３６】
上面部材３２の係止突起部３２ｄが、本体３１の第１係止孔３３にきつく嵌合される。上面部材３２の脚部３２ｂが、本体３１の側壁部３１ｂの外面に沿って伸びて、上面部材３２の係止爪部３２ｃが、本体３１の第２係止孔３４に嵌合、係止される。上面部材３２は、係止爪部３２ｃの第２係止孔３４に対する係止作用によって、本体３１から上方へ分離されるのが防止される。また、係止突起部３２ｄが第１係止孔３３に嵌合されることにより、上面部材３２が本体３１に対して水平方向に相対変位されるのが強固に規制される。なお、係止爪部３２ｃを利用した係止作用に加えてあるいは代りに、接着剤によって本体３１と上面部材３２とを固定することもできる。
【００３７】
延長支承部材２１の長手方向一端側には、図１０、図１１に示すように、幅方向に伸びる端板部３６を有し、この端板部３６には、本体３１の内部空間に連なる連結開口３７が形成されている。図１０には、第２延長支承部材２１Ｂと第３延長支承部材２１Ｃとを連結する前記連結金具２２の一例が合せて示される。この連結金具２２は、例えば鉄板等の金属板を曲げ加工することにより形成されて、放射状に伸びる３本の連結脚部２２ａを有する。各連結脚部２２ａの先端部には、左右端から上方へ短く伸びる左右一対の立上がり部２２ｂが形成されている。延長支承部材２１の前述した連結開口３７に対して、立上がり部２２ｂを有する連結脚部２２ａががたつきなく挿入されて、その連結が行われる（図１２をも参照）。
【００３８】
延長支承部材２１の長手方向他端部側には、フランジ部３１ｃと同一高さ位置において、延長フランジ部３８が一体に形成されており、この延長フランジ部３８には、上方へ突出する連結突起部３９が形成されている（例えば延長フランジ部３８の一部を上方へ向けて膨出形成することにより形成）。この連結突起部３９は、後述するように、中心支承部材１１との連結のために用いられる。
【００３９】
延長支承部材２１が連結される中心支承部材１１の一例が、図１３、図１４に示される。中心支承部材１１は、ディンプルベ−ス４１と、ディンプルベ−ス４１上に載置された低摩擦部材からなる滑動部材４２との分割構成とされて、ディンプルベ−ス４１が床スラブＵに固定される。ディンプルベ−ス４１の上面には、上方に凹となるように球面状に形成された凹部４１ａが形成されている。一方、滑動部材４２の下面は、下方に凸となるように球面状に形成されていて、上記ディンプルベ−ス４１の凹部４１ａに載置されている。これにより、滑動部材４２は、ディンプルベ−ス４１に対して全方向に揺動可能とされている。そして、滑動部材４２の上面は、平坦面とされている。
【００４０】
ディンプルベ−ス４１は、その外周縁部において、全体として環状に伸びるフランジ部４１ｂを有する。このフランジ部４１ｂには、周方向に間隔をあけて、複数の連結用膨出部４１ｃが形成されている。この連結用膨出部４１ｃは、連結される延長支承部材２１の数に対応した６個形成されており、フランジ部４１ｂを部分的に上方へ若干膨出させることにより形成されていて、フランジ部４１ｂの外周側に開口された形状とされている。そして、連結用膨出部４１ｃの上壁部分には、連結孔４３が形成されている。
【００４１】
ディンプルベ−ス４１は、床スラブＵに着座されるそのフランジ部４１ｂ部分でもって、床スラブＵに固定される。ディンプルベ−ス４１の床スラブＵに対する固定状態において、連結用膨出部４１ｃ内には延長支承部材２１の延長フランジ部３８が挿入されていて、この延長フランジ部３８に形成された前述の連結突起部３９が、連結用膨出部４１ｃに形成された連結孔４３に緩く嵌合されている。このようにして、延長支承部材２１とディンプルベ−ス４１との連結が行われる。なお、連結用膨出部４１ｃに上下方向に伸びる連結突起部を形成する一方、延長支承部材２１の延長フランジ部３８に連結突起部が嵌合される連結孔を形成するようにすることもできる。
【００４２】
ここで、図１４に示すように、床スラブＵ上にディンプルベ−ス４１、延長支承部材２１を設置した状態で、床スラブＵからの高さにおいて、延長支承部材２１の最大高さをＨ１、ディンプルベ−ス４１の最大高さをＨ２、ディンプルベ−ス４１上に載置された滑動部材４２の上面高さをＨ３としたとき、Ｈ２＜Ｈ１＜Ｈ３となるように設定されている。これにより、中心支承部材１１つまり滑動部材４２から完全に脱落したスライドパネル１２が、一端延長支承部材２１に乗り移ってこれに支承された後に、滑動部材４２に接近する方向に変位されたとき、スライドパネル１２の外周縁部によって滑動部材４２がディンプルベ−ス４１から押し出されて、この後は、延長支承部材２１のみによってスライドパネル１２が支承されることになる。
【００４３】
中心支承部材１１が、ディンプルベ−ス４１に対して分離可能な滑動部材４２を有しない場合、つまり中心支承部材１１の上面部分を構成する低摩擦部分が床スラブＵに対して常時固定関係にある場合は、延長支承部材２１の中心支承部材１１側端部を、中心支承部材１１に近づくにつれて徐々に高くなるように傾斜設定して、中心支承部材１１直近での延長支承部材２１の高さ位置が、中心支承部材１１の上面高さ位置とほぼ同じ高さとなるように設定することもできる。
【００４４】
なお、延長支承部材２１の高さをそのほぼ全長に渡って、中心支承部材１１の上面高さと一致させることも考えられる。しかしながら、この場合は、小さな水平方向変位でもスライドパネル１２が延長支承部材２１に対してかなり大きな面積でもって摺動することになってしまい、本来的には中心支承部材１１（の低摩擦とされた上面）のみでもってスライドパネル１２を摺動させる、という要請からは好ましくないものとなる。
【００４５】
以上実施形態について説明したが、本発明は、特許請求の範囲に記載された範囲において適宜改変可能である。また、本発明の目的は、明記されたものに限らず、実質的に好ましいあるいは利点として記載されたものを提供するこをも暗黙的に含むものである。
【図面の簡単な説明】
【図１】本発明が適用される２重床式免震床構造の全体的な様子を簡略的に示す上面図。
【図２】本発明が適用された免震床支承構造の一例を示す一部断面側面図。
【図３】図２の一部破断上面図。
【図４】スライドパネルとリタ−ンスプリングとジョイントビ−ムと床パネルとの様子を示すもので、延長支承部材を省略して示す斜視図。
【図５】スライドパネルの下面図。
【図６】延長支承部材の中心支承部材に対する好ましい設置例を示す上面図。
【図７】延長支承部材の一例を示す斜視図。
【図８】図７の分解斜視図。
【図９】図７のＸ９−Ｘ９線相当断面図。
【図１０】連結金具の一例を示すと共に、連結金具の延長支承部材に対する連結の様子を示す分解斜視図。
【図１１】連結金具と延長支承部材とが連結されている様子を示す斜視図。
【図１２】図１１のＸ１２−Ｘ１２線相当断面図。
【図１３】ディンプルベ−スの上面図で、延長支承部材との連結をも示す図。
【図１４】図１３のＸ１４−Ｘ１４線相当断面図で、延長支承部材との連結の様子をも示す図。
【符号の説明】
Ｕ：床スラブ
Ｓ：室
１：可動床
３：室の側壁
１１：中心支承部材
１２：スライドパネル
１３：ジョイントビ−ム
１４：支柱
１５：床パネル
２１：延長支承部材
２１Ａ：第１延長支承部材
２１Ｂ：第２延長支承部材
２１Ｃ：第３延長支承部材
２１Ｄ：第４延長支承部材
２２：連結金具
２２ａ：締結脚部（連結部）
３１：本体
３１ａ：上壁部
３１ｂ：側壁部
３１ｃ：フランジ部
３２：上面部材
３２ａ：上壁部
３２ｂ：脚部
３２ｃ：係止爪部
３２ｄ：係止突起部
３３：第１係止孔
３４：第２係止孔
３８：延長フランジ部
３９：係止突起部
４１：ディンプルベ−ス
４１ａ：凹部
４１ｃ：連結用膨出部
４２：滑動部材
４３：連結孔
【図１】
0003818408.tif 000002
【図２】
0003818408.tif 000003
【図３】
0003818408.tif 000004
【図４】
0003818408.tif 000005
【図５】
0003818408.tif 000006
【図６】
0003818408.tif 000007
【図７】
0003818408.tif 000008
【図８】
0003818408.tif 000009
【図９】
0003818408.tif 000010
【図１０】
0003818408.tif 000011
【図１１】
0003818408.tif 000012
【図１２】
0003818408.tif 000013
【図１３】
0003818408.tif 000014
【図１４】
0003818408.tif 000015